(57)【要約】典型的な実施形態によれば、誤検出を削減するための無線通信システムでの制御シグナリング方法は、少なくとも１つのダウンリンク制御情報（ＤＣＩ）フィールドに少なくとも１つの所定値を割り当てることにより巡回冗長検査（ＣＲＣ）情報を延長する。結果として、誤検出の可能性を削減することができる。【選択図】図１
2016501453.tif 000002
【特許請求の範囲】
【請求項１】
少なくとも１つのダウンリンク制御情報（ＤＣＩ）フィールドに少なくとも１つの所定値を割り当てることにより、巡回冗長検査（ＣＲＣ）情報を延長すること、を含む
誤検出を削減するための無線通信システムでの制御シグナリング方法。
【請求項２】
前記ＤＣＩフィールドはリソースブロック割り当て内に含まれている、
請求項１に記載の方法。
【請求項３】
前記所定値は、他に用いられない１又はより上位ビットの使用を含む、
請求項２に記載の方法。
【請求項４】
前記リソースブロック割り当ての３つの最上位ビットは、前記延長されたＣＲＣを指定するために「１１１」に設定される、
請求項３に記載の方法。
【請求項５】
前記通信システムは、フレキシブルなｔｉｍｅ  ｄｉｖｉｓｉｏｎ  ｄｕｐｌｅｘ（ＴＤＤ）ｕｐｌｉｎｋ−ｄｏｗｎｌｉｎｋ（ＵＬ−ＤＬ）構成をサポートするＬＴＥ又はＬＴＥ−Ａシステムである、
請求項１に記載の方法。
【請求項６】
繰り返されるｆａｓｔ  ＴＤＤ  ｃｏｎｆｉｇｕｒａｔｉｏｎ  ｉｎｄｉｃａｔｉｏｎ（ＦＣＩ）の検出に対応して、検出されたＦＣＩに関連する手続きに従ってユーザ機器（ＵＥ）が動作することを可能にすることでフレーム区間を再構成することを更に含む、
請求項１ないし５のいずれか１項に記載の方法。
【請求項７】
第１のユーザ機器（ＵＥ）において、前記ＤＣＩフィールドの前記所定値の検出で物理ダウンリンク制御チャネル（ＰＤＣＣＨ）を切り捨てる、
請求項１ないし５のいずれか１項に記載の方法。
【請求項８】
長期のＴＤＤ  ＵＬ−ＤＬ構成に従って動作する第１のユーザ機器（ＵＥ）で用いられる長期のＴＤＤ  ＵＬ−ＤＬ構成指示と、
短期のＴＤＤ  ＵＬ−ＤＬ構成に従って動作可能な第２のＵＥで用いられる短期のＴＤＤ  ＵＬ−ＤＬ構成指示と、
を送信するように動作可能な少なくとも１つの基地局を備え、
前記短期のＴＤＤ  ＵＬ−ＤＬ構成指示は、ダウンリンク制御情報（ＤＣＩ）フォーマットで送信され、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、
無線通信システム。
【請求項９】
前記通信システムはＬＴＥ又はＬＴＥ−Ａシステムであり、前記基地局は、ＬＴＥリリース１１又はより高次のＬＴＥリリースに従った動作用に構成されると共に、より低次のリリースとの上位互換性を有する、
請求項８に記載の通信システム。
【請求項１０】
前記基地局はｅｖｏｌｖｅｄ  ＮｏｄｅＢ（ｅＮｏｄｅＢ）であり、少なくともリリース１０、リリース９及びリリース８との上位互換性を有する、
請求項９に記載の通信システム。
【請求項１１】
前記基地局は、第１のＵＥ及び第２のＵＥのための、適切な長期及び短期のＴＤＤ  ＵＬ−ＤＬ構成を選択するためのＴＤＤ構成切り替えアルゴリズムを実行するとき、制限されていないタイムフレームで観測されるＵＬ−ＤＬトラフィック比率を考慮に入れたＴＤＤ再構成処理を実行する、
請求項８から１０のいずれか１項に記載の通信システム。
【請求項１２】
前記ＤＣＩの前記利用される既存のフィールドは、他では使用されず、そこに含まれる前記情報を伝える必要がない、
請求項８から１０のいずれか１項に記載の通信システム。
【請求項１３】
前記ＤＣＩフィールドはリソースブロック割り当て内に含まれている、
請求項８から１０のいずれか１項に記載の通信システム。
【請求項１４】
前記所定値は、他に用いられない１又はより上位ビットの使用を含む、
請求項１３に記載の通信システム。
【請求項１５】
前記リソースブロック割り当ての３つの最上位ビットは、前記仮想的に延長されたＣＲＣを指定するために「１１１」に設定される、
請求項１４に記載の通信システム。
【請求項１６】
繰り返されるｆａｓｔ  ＴＤＤ  ｃｏｎｆｉｇｕｒａｔｉｏｎ  ｉｎｄｉｃａｔｉｏｎ（ＦＣＩ）の検出に対応して、検出されたＦＣＩに関連する手続きに従って前記第２のＵＥが動作する、
請求項８ないし１０のいずれか１項に記載の通信システム。
【請求項１７】
前記第１のＵＥは、前記ＤＣＩフィールドの前記所定値の検出で物理ダウンリンク制御チャネル（ＰＤＣＣＨ）又は拡張物理ダウンリンク制御チャネル（ＥＰＤＣＣＨ）を切り捨てる、
請求項８ないし１０のいずれか１項に記載の通信システム。
【請求項１８】
基地局から、
長期のＴＤＤ  ＵＬ−ＤＬ構成に従って動作する第１のユーザ機器（ＵＥ）で用いられる長期のＴＤＤ  ＵＬ−ＤＬ構成指示と、
短期のＴＤＤ  ＵＬ−ＤＬ構成に従って動作可能な第２のＵＥで用いられる短期のＴＤＤ  ＵＬ−ＤＬ構成指示と、を送信すること、及び
前記短期のＴＤＤ  ＵＬ−ＤＬ構成指示をダウンリンク制御情報（ＤＣＩ）フォーマットで送信すること、を備え、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、
無線通信システムにおける制御シグナリングの方法。
【請求項１９】
繰り返されるｆａｓｔ  ＴＤＤ  ｃｏｎｆｉｇｕｒａｔｉｏｎ  ｉｎｄｉｃａｔｉｏｎ（ＦＣＩ）の検出に対応して、検出されたＦＣＩに関連する手続きに従って前記第２のＵＥが動作する、
請求項１８に記載の方法。
【請求項２０】
前記第１のＵＥは、前記ＤＣＩフィールドの前記所定値の検出で物理ダウンリンク制御チャネル（ＰＤＣＣＨ）又は拡張物理ダウンリンク制御チャネル（ＥＰＤＣＣＨ）を切り捨てる、
請求項１８又は請求項１９に記載の方法。
【請求項２１】
少なくとも一部の前記第２のＵＥは、長期のＴＤＤ  ＵＬ−ＤＬ構成に従って動作することが更にできる、
請求項１８又は請求項１９に記載の方法。
【請求項２２】
前記ＣＲＣは、高速のＴＤＤ  ＵＬ−ＤＬ再構成の目的のために前記ＤＣＩが用いられることを示すものとして前記第２のＵＥがみなすｒａｄｉｏ  ｎｅｔｗｏｒｋ  ｔｅｍｐｏｒａｒｙ  ｉｄｅｎｔｉｆｉｅｒ（ＲＮＴＩ）を用いてスクランブルされる、
請求項１８又は請求項１９に記載の方法。
【請求項２３】
前記ＲＮＴＩは予め定義されていると共に、［ＦＦＦ４：ＦＦＦＣ］の範囲内の値を有する、
請求項２２に記載の方法。
【請求項２４】
長期のＴＤＤ  ＵＬ−ＤＬ構成に従って動作する第１のユーザ機器（ＵＥ）で用いられる長期のＴＤＤ  ＵＬ−ＤＬ構成指示と、
短期のＴＤＤ  ＵＬ−ＤＬ構成に従って動作可能な第２のＵＥで用いられる短期のＴＤＤ  ＵＬ−ＤＬ構成指示と、
を受信するように構成され、
前記短期のＴＤＤ  ＵＬ−ＤＬ構成指示は、ダウンリンク制御情報（ＤＣＩ）フォーマットで送信され、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、
ユーザ機器（ＵＥ）。
【請求項２５】
基地局から、
長期のＴＤＤ  ＵＬ−ＤＬ構成に従って動作する第１のユーザ機器（ＵＥ）で用いられる長期のＴＤＤ  ＵＬ−ＤＬ構成指示と、
短期のＴＤＤ  ＵＬ−ＤＬ構成に従って動作可能な第２のＵＥで用いられる短期のＴＤＤ  ＵＬ−ＤＬ構成指示と、
を受信すること、及び
前記短期のＴＤＤ  ＵＬ−ＤＬ構成指示をダウンリンク制御情報（ＤＣＩ）フォーマットで受信すること、を備え、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、
無線通信システムで用いられるユーザ機器（ＵＥ）で実行される方法。
【発明の詳細な説明】
【技術分野】
【０００１】
本発明は、概して、制御シグナリング方法に関する。特に、本発明は、Ｌｏｎｇ−Ｔｅｒｍ−Ｅｖｏｌｕｔｉｏｎ（ＬＴＥ）及びＬＴＥ−Ａｄｖａｎｃｅｄ（ＬＴＥ−Ａ）システムに適用可能な（その様々なリリースを含む）標準に従って動作する無線ネットワークでの制御シグナリングに関するものであるが、これに制限されるものではない。
【背景技術】
【０００２】
ＬＴＥ及びＬＴＥ−Ａシステムでは、ネットワーク基地局から（即ち、ｅｖｏｌｖｅｄ  ＮｏｄｅＢ又は「ｅＮｏｄｅＢ」から）送信されたｄｏｗｎｌｉｎｋ（ＤＬ）制御信号は、ユーザ機器（ＵＥ）固有であってもよい（つまり、例えば特定の無線端末又は携帯通信装置といった特定の「ユーザ機器」に固有であってもよい）し、又は、セル固有のものであっても（即ち、放送されても）よい。ＵＥ固有の制御信号は、固有のＵＥにおけるＤＬデータ受信及び／又は固有のＵＥからのデータ送信のためのｕｐｌｉｎｋ（ＵＬ）グラントのスケジューリング割り当て（ＳＡ）を提供する。放送又はセル固有のシグナリングは、ＵＥのグループ又はセル内の全てのＵＥにシステム情報を伝達する。
【０００３】
一般的に、ＤＬ制御情報（ＤＣＩ）は、物理ダウンリンク制御チャネル（ＰＤＣＣＨ）及び／又は拡張ＰＤＣＣＨ（ＥＰＤＣＣＨ）により伝達されることが可能である。送信は、関連する物理ダウンリンク共有チャネル（ＰＤＳＣＨ）を伴うＰＤＣＣＨ又はＥＰＤＣＣＨを用いてなされることができる。例えば、ＵＥ固有の制御シグナリングでは、ＰＤＣＣＨは、関連するＰＤＳＣＨ／ＤＬ−ＳＣＨ（ＤＬ−ＳＣＨはダウンリンク共有チャネルを表す）の受信、復調及びデコードのためのダウンリンク制御情報（ＤＣＩ）を伝達する。
【０００４】
関連するＰＤＳＣＨなしで、ＰＤＣＣＨ又はＥＰＤＣＣＨを単独で用いて送信がなされることも、また可能である。そのようないわゆる「スタンドアローン」のＰＤＣＣＨ又はＥＰＤＣＣＨは、例えば、ＬＴＥのリリース１０（Ｒｅｌ．１０）において、半永続スケジューリング（ＳＰＳ）の起動及び解放のために用いられる。ＤＣＩフォーマット０／４は、他方で、関連するＰＤＳＣＨ／ＤＬ−ＳＣＨの送信がこれにもないのに関わらず、後のサブフレームでのＵＬ−ＳＣＨ／ＰＵＳＣＨ（アップリンク共有チャネル／物理アップリンク共有チャネル）送信において、ＵＥに対してＵＬグラントを提供するために用いられる。
【０００５】
ＰＤＣＣＨ又はＥＰＤＣＣＨは、例えばシステム情報ブロックタイプｎ（ＳＩＢ−ｎ，ｎ＝１，．．．，１３）及び／又はページング等のシステム情報の異なるタイプを放送することができる。ＤＬで受信された１つのＰＤＣＣＨの使用をＵＥに知らせるために、固有の１６ビットシークエンスが、送信前に、ｅＮｏｄｅＢでのＤＣＩペイロードの１６巡回冗長検査（ＣＲＣ）ビットをスクランブルするのに用いられ、ＵＥは、ブラインド検出が成功した後に、異なるスクランブルシークエンスを試みる。ＵＥは、１つのスクランブルシークエンス（例えば、Ｐａｇｉｎｇ  Ｒａｄｉｏ  Ｎｅｔｗｏｒｋ  Ｔｅｍｐｏｒａｒｙ  Ｉｄｅｎｔｉｆｉｅｒ（Ｐ−ＲＮＴＩ））を用いて逆スクランブルがされた後、ＣＲＣチェックが合格したときに、ＤＣＩの使用（例えばページング）を知る。
【０００６】
現実のシステムでは、ＣＲＣチェックが合格するべきでないにも関わらず合格したときに、誤検出が発生し得る。換言すれば、ＵＥが、ＰＤＣＣＨがそれ自体に決まっているものであると誤って／不正確にみなす可能性がある。実際には、ＰＤＣＣＨがそのＵＥ向けでなかったにも関わらず、ＵＥによるＰＤＣＣＨのＣＲＣチェックが正確（ポジティブ）である、即ち、ＵＥ識別子が不一致であったにも関わらずＣＲＣが合格した場合に起こり得る。このいわゆる「誤検出」は、無線チャネルにより発生した送信エラーの効果と、ＵＥ識別子の不一致とが互いにキャンセルした場合に発生し得る。換言すれば、このような「誤検出」は、ＤＣＩビットストリング及びＣＲＣで揃ったエラービットのエラーをデコードすることで発生され得て、ＣＲＣチェックを合格させる。
【０００７】
（上述の）「スタンドアローン」のＰＤＣＣＨ又はＥＰＤＣＣＨに比べて、関連するＰＤＳＣＨを伴うＰＤＣＣＨ又はＥＰＤＣＣＨを用いて送信がなされるシステムでは、誤検出による影響はより少なくなり得る。例えば、関連するＰＤＳＣＨを伴うＰＤＣＣＨ又はＥＰＤＣＣＨを用いて送信がなされるシステムでは、誤検出のイベントにおいて、ＵＥは検出されたＤＣＩ中の情報を誤って解釈し、関連するＰＤＳＣＨのデコードを試みるであろう。ＵＥにとっては、関連するＰＤＳＣＨ／ＤＬ−ＳＣＨを受信することは可能かもしれないが、そのデコードは成功しないだろう。結果として、ＵＥは、それがユニキャストである場合は否定応答（ＮＡＫ）をフィードバックし、それがシステム放送である場合は受信された情報を切り捨てて次の区間において情報の受信を試みることのいずれかを行うであろう。他方では、「スタンドアローン」のＰＤＣＣＨ又はＥＰＤＣＣＨ（即ち、関連するＰＤＳＣＨ／ＤＬ−ＳＣＨ送信がない）では、誤検出のイベントにおいて、ＵＥは、不正確なシステム手続きにつながる検出されたＤＣＩ中のインストラクションを直接フォローするであろう。
【０００８】
更に、Ｒｅｌ．８標準化のプロセス中、「スタンドアローン」ＰＤＣＣＨはＳＰＳの起動／解放のために用いられる。これは誤検出（上述の通り）に悩まされ得て、結果は、スケジューリング割り当て（ＳＡ）がＤＬ  ＳＡとして又はＵＬ  ＳＡとして解釈されるかどうかに依存する。ＵＥが、ＤＬ  ＳＡであると不正確に判定した場合、ＵＥは、ｅＮｏｄｅＢからの推定されたデータパケット送信をデコードすることに失敗し、通信システムのＵＬでＮＡＫを周期的に送信するであろう。このＮＡＫは、正確なＰＤＳＣＨ受信を行った他のＵＥにより送信されるＮＡＫ又は（ポジティブな）肯定応答（ＡＣＫ）と衝突するかもしれない。これは、有効なＰＤＳＣＨ受信をしたＵＥがＡＣＫを送信したときに問題がある。同様に、ＳＰＳ  ＵＥが、ＵＬ  ＳＡであると不正確に判定した場合、Ｕｅは、ＵＬでデータを送信し、そのデータは、有効なＳＡを伴う１又は複数の他のＵＥにより送信されるデータと干渉するであろう。
【０００９】
ＳＰＳ  ＵＥのための誤検出ＳＰＳ起動の可能性を削減するため、ＤＣＩ中の特別なフィールドを所定値に設定することで、ＣＲＣの長さを仮想的に増大することが以前に提案されている。例えば、米国特許出願公開第２０１０／００７０８１５号明細書には、スケジューリング割り当て中の情報要素（ＩＥ）を所定値に設定し、それによりＣＲＣの有効長を延長することが提案されている。
【先行技術文献】
【特許文献】
【００１０】
【特許文献１】米国特許出願公開第２０１０／００７０８１５号明細書
【発明の概要】
【発明が解決しようとする課題】
【００１１】
しかしながら、米国特許出願公開第２０１０／００７０８１５号明細書では、「仮想ＣＲＣ」の結果は、半永続的スケジューリング（ＳＰＳ）割り当てのみのために設計される。従って、それは、短期（即ち高速の）Ｔｉｍｅ  Ｄｉｖｉｓｉｏｎ  Ｄｕｐｌｅｘ（ＴＤＤ）ＵＬ−ＤＬ構成指示（フレキシブル（即ち高速及び低速の）ＴＤＤ  ＵＬ−ＤＬ構成をサポートするシステムで用いられる）、特に、上述の通りのＤＣＩフォーマット１Ｃを介したｆａｓｔ  ＴＤＤ  ＵＬ−ＤＬ  ｃｏｎｆｉｇｕｒａｔｉｏｎ  ｉｎｄｉｃａｔｉｏｎ（ＦＣＩ）に、関係がない。
【００１２】
Ｒｅｌ．１１システム及び後続の将来のシステム（Ｒｅｌ．１１及びそれ以降のシステム）では、ＤＣＩフォーマット１Ｃを伴うスタンドアローンのＰＤＣＣＨ又はＥＰＤＣＣＨは、使用可能なフレキシブル−ＴＤＤを用いるＵＥにｆａｓｔ  ＴＤＤ  ｃｏｎｆｉｇｕｒａｔｉｏｎ  ｉｎｄｉｃａｔｉｏｎ（ＦＣＩ）を送信するのに再利用されそうである。上述のＳＰＳの起動／解放のような場合、Ｒｅｌ．１１及びそれ以降のシステムにとって、誤検出の可能性を削減することが望ましいかもしれない。さもなければ、どのＴＤＤ構成が用いられるかに関して、ＵＥとｅＮｏｄｅＢとの間で不明確性が生じうる。例えば、次の再構成区間で構成♯５が用いられるべきとｅＮｏｄｅＢが指示した場合でも、ＵＥは、実際には他の目的のためのＤＣＩを（誤）解釈したことが原因で、構成♯０が用いられるべきとみなし、そのＵＥは、特定のＤＬサブフレームをＵＬサブフレームとみなして、関連するＤＬ送信に失敗するだろう。また、ＵＥによるハイブリッド自動再送要求（ＨＡＲＱ）−肯定応答（ＡＣＫ）フィードバックは、レガシーＵＥ又は正確なＴＤＤ構成指示受信を行ったＵＥからのＮＡＫ又はポジティブＡＣＫ送信と衝突するかもしれない。
【００１３】
従来の又は既存の装置、製品、システム、方法、慣行、公開若しくは他の情報、又は任意の関連した問題若しくは事柄の本明細書での単なる言及は、いかなるそれらの事項も、個別に又は任意の組み合わせにおいて、当業者の共通一般知識の一部を形成し、又は関連技術として認められるということの承認又は了解とはならないということが、明確に理解されるべきである。
【００１４】
本発明の実施形態は、誤検出の可能性を削減する制御シグナリング方法、無線通信システム、無線通信での制御シグナリングの方法、ユーザ機器及びユーザ機器で実行される方法を提供することを目的とする。
【課題を解決するための手段】
【００１５】
本発明の一側面によれば、誤検出を削減するための無線通信システムでの制御シグナリング方法が提供されており、この方法は、
少なくとも１つのダウンリンク制御情報（ＤＣＩ）フィールドに少なくとも１つの所定値を割り当てることにより、巡回冗長検査（ＣＲＣ）情報を延長することを含む。
【００１６】
背景のセクションで上述したように、ｆａｓｔ  ＴＤＤ  ｃｏｎｆｉｇｕｒａｔｉｏｎ  ｉｎｄｉｃａｔｉｏｎ（ＦＣＩ）のためのスタンドアローンのＰＤＣＣＨ又はＥＰＤＣＣＨに関連した問題、即ち「誤検出」の可能性は、ＳＰＳの起動／解放での誤検出を含む問題と類似している。有利には、ＣＲＣ情報を延長することで、ＵＥとｅＮｏｄｅＢとの間の通信をより信頼性高くすると共に、誤検出を削減するという結果を得る。
【００１７】
ＳＰＳ起動／解放だけが、ユニキャストのために用いられるＤＣＩフォーマット０／１／１Ａ／２／２Ａ／２Ｂ／２Ｃにより伝達され、ＤＣＩフォーマット１Ｃはその目的のために用いられない。これは、ＤＣＩフォーマット１Ｃを伴うスタンドアローンのＰＤＣＣＨ又はＥＰＤＣＣＨの信頼性を向上するために設計された関連した仮想的なＣＲＣがないことを意味する。好ましい実施形態では、新しく導入された「ｅｖｏｌｖｅｄ  Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ（ｅＩＭＴＡ）−ＲＮＴＩ」によりスクランブルされるＤＣＩフォーマット１Ｃを伴うスタンドアローンのＰＤＣＣＨ又はＥＰＤＣＣＨが、高速のＴＤＤ構成指示のために提案される。高速のＴＤＤ構成に関してｅＮｏｄｅＢとＵＥとの間の不明確性を軽減するために、ＤＣＩフォーマット１Ｃ内で特別なフィールドが選択され、ＣＲＣビットを仮想的に延長するために所定値が用いられる。
【００１８】
本発明の他の側面によれば、無線通信システムが提供されており、
長期のＴＤＤ  ＵＬ−ＤＬ構成に従って動作する第１のユーザ機器（ＵＥ）で用いられる長期のＴＤＤ  ＵＬ−ＤＬ構成指示と、
短期のＴＤＤ  ＵＬ−ＤＬ構成に従って動作可能な第２のＵＥで用いられる短期のＴＤＤ  ＵＬ−ＤＬ構成指示と、
を送信するように動作可能な少なくとも１つの基地局を備え、
前記短期のＴＤＤ  ＵＬ−ＤＬ構成指示は、ダウンリンク制御情報（ＤＣＩ）フォーマットで送信され、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される。
【００１９】
一実施形態では、少なくとも一部の前記第２のＵＥは、長期のＴＤＤ  ＵＬ−ＤＬ構成に従って動作することが更にできてもよい。
【００２０】
高速のＴＤＤ構成の指示方法に関して、「動的シグナリング」を用いる現在最先端の他の方法が提案された。ＦＣＩのための１つの専用のシグナリングが必要となる上述の高速シグナリング方法と比較すると、「動的シグナリング」は、ＦＣＩの明示的なシグナリングを必要としない。Ｒ１−１２１７０９に述べられた通り、アップリンクで送信するようにＵＥが信号を受けない限り、フレキシブルなサブフレームがダウンリンクにあると仮定。確実に、１つのＵＬグラントが受領されたときに、１つのサブフレームを関連付けるために、所定の構成のタイミングがフォローされるべきである。この関連技術の主なデメリットは、ＵＥは、対応するＵＬグラントを受信しない限り、フレキシブルなサブフレームで、ＳＲＳやＣＱＩ（Ｃｈａｎｎｅｌ  Ｑｕａｌｉｔｙ  Ｉｎｄｉｃａｔｏｒ）フィードバックといった任意のＵＬ関連シグナリングを送信できないというところにある。代替案として、好ましい実施形態は、ＵＥ側で検出されたＦＣＩがないときに「動的なシグナリング」手続きをフォローする一方、専用のシグナリング（例えば、「ｅＩＭＴＡ−ＲＮＴＩ」によりスクランブルされたＤＣＩフォーマット１Ｃ）を明確に伴う高速ＴＤＤ構成を提供する。
【００２１】
本発明の他の側面によれば、無線通信システムにおける制御シグナリングの方法が提供されており、その方法は、
基地局から、
長期のＴＤＤ  ＵＬ−ＤＬ構成に従って動作する第１のユーザ機器（ＵＥ）で用いられる長期のＴＤＤ  ＵＬ−ＤＬ構成指示と、
短期のＴＤＤ  ＵＬ−ＤＬ構成に従って動作可能な第２のＵＥで用いられる短期のＴＤＤ  ＵＬ−ＤＬ構成指示と、を送信すること、及び
前記短期のＴＤＤ  ＵＬ−ＤＬ構成指示をダウンリンク制御情報（ＤＣＩ）フォーマットで送信すること、を備え、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される。
【００２２】
本発明の他の側面によれば、ユーザ機器（ＵＥ）が提供されており、そのユーザ機器は、
長期のＴＤＤ  ＵＬ−ＤＬ構成に従って動作する第１のユーザ機器（ＵＥ）で用いられる長期のＴＤＤ  ＵＬ−ＤＬ構成指示と、
短期のＴＤＤ  ＵＬ−ＤＬ構成に従って動作可能な第２のＵＥで用いられる短期のＴＤＤ  ＵＬ−ＤＬ構成指示と、
を受信するように構成され、
前記短期のＴＤＤ  ＵＬ−ＤＬ構成指示は、ダウンリンク制御情報（ＤＣＩ）フォーマットで送信され、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される。
【００２３】
本発明の他の側面によれば、無線通信システムで用いられるユーザ機器（ＵＥ）で実行される方法が提供されており、その方法は、
基地局から、
長期のＴＤＤ  ＵＬ−ＤＬ構成に従って動作する第１のユーザ機器（ＵＥ）で用いられる長期のＴＤＤ  ＵＬ−ＤＬ構成指示と、
短期のＴＤＤ  ＵＬ−ＤＬ構成に従って動作可能な第２のＵＥで用いられる短期のＴＤＤ  ＵＬ−ＤＬ構成指示と、
を受信すること、及び
前記短期のＴＤＤ  ＵＬ−ＤＬ構成指示をダウンリンク制御情報（ＤＣＩ）フォーマットで受信すること、を備え、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される。
【００２４】
本明細書で説明されるいかなる特徴も、発明のスコープ内で、本明細書で説明される任意の１又は複数の他の特徴と任意の組み合わせで組み合わせることができる。
【発明の効果】
【００２５】
本発明によれば、誤検出の可能性を削減することが可能になる。
【図面の簡単な説明】
【００２６】
本発明の好ましい特徴、実施形態及びバリエーションは、当業者が本発明を実施するために十分な情報を提供する以下の詳細な説明から理解され得る。詳細な説明は、先行する発明の要約のスコープを限定するものといかなる形でもみなされるべきものではない。詳細な説明は、以下のいくつかの図面が参照されるであろう：
【図１】図１は、フレキシブルなＴＤＤ  ＵＬ−ＤＬ構成をサポートする無線通信システムの概略図である；
【図２】図２は、ＤＣＩフォーマット１Ｃの構造を示す；
【図３】図３は、リソース割り振りタイプ２を用いた可能なリソースブロック割り振りを示す；
【図４】図４は、Ｒｅｓｏｕｒｃｅ  Ｂｌｏｃｋ  Ａｓｓｉｇｎｍｅｎｔ（ＲＢＡ）ビットの利用を含むテーブルである；
【図５】図５は、ｆａｓｔ  ＴＤＤ  ｃｏｎｆｉｇｕｒａｔｉｏｎ  ｉｎｄｉｃａｔｉｏｎ（ＦＣＩ）のためのＤＣＩフォーマット１Ｃの再解釈を示す；及び
【図６】図６は、フレキシブルなＴＤＤシステムのための高速再構成指示のタイミングを示すダイアグラムである。
【発明を実施するための形態】
【００２７】
図１は、フレキシブルなＴＤＤ  ＵＬ−ＤＬ構成をサポートする無線通信システム１００を示す。表された無線通信システム１００は、無線接続及び複数の無線端末／携帯通信装置（即ち、ユーザ機器又は「ＵＥ」）１０３、１０４へのアクセスを提供する、少なくとも１つのｅｖｏｌｖｅｄ  ＮｏｄｅＢ（ｅＮＢ又はｅＮｏｄｅＢ）１０１を含む。この例では、ｅＮｏｄｅＢ１０１は、ＬＴＥリリース１１標準及びそれ以降（即ち、「Ｒｅｌ’１１及びそれ以降のｅＮｏｄｅＢ」）の下での動作用に構成されているが、Ｒｅｌ’８、Ｒｅｌ’９及びＲｅｌ’１０を含む以前のリリースとの上位互換性も有する。また、図１では、（各）ＵＥ１０３はレガシーＵＥ（即ち、ＬＴＥ  Ｒｅｌ’８、Ｒｅｌ’９及び／又はＲｅｌ’１０に従った動作用に構成されたＵＥ装置）である一方、（各）ＵＥ１０４はＬＴＥ  Ｒｅｌ’１１（及びそれ以降）に従った動作用に構成されている。
【００２８】
この例で、ｅＮｏｄｅＢ１０１はＴｉｍｅ  Ｄｉｖｉｓｉｏｎ  Ｄｕｐｌｅｘ（ＴＤＤ）再構成処理機能（１０２として示される）を含む。ＴＤＤ再構成処理機能１０２は、レガシーＵＥ１０３とＲｅｌ’１１及びそれ以降のＵＥ１０４とのため適切な長期及び短期のＴＤＤ  ＵＬ−ＤＬ構成の選択のためのＴＤＤ構成切り替えアルゴリズムを実行するとき、制限されていないタイムフレームで観測されるＵＬ−ＤＬトラフィック比率を考慮に入れる。この例で、ｅＮｏｄｅＢ１０１は、システム情報ブロックタイプ１（ＳＩＢ１）１０６を用いて、レガシーＵＥ１０３とＲｅｌ’１１及びそれ以降のＵＥ１０４の両方に対して長期のＴＤＤ  ＵＬ−ＤＬ構成を放送する。ＳＩＢ１で送信されたＴＤＤ  ＵＬ−ＤＬ構成は、ＳＩＢ１更新の区間が６４０ｍｓのオーダーであるような長期の構成であるとみなされる。
【００２９】
ｅＮｏｄｅＢ１０１は、また、高速シグナリングアプローチを用いてＲｅｌ’１１及びそれ以降のＵＥ１０４のみに対してだが、短期のＴＤＤ  ＵＬ−ＤＬ構成を通信するよう構成される。さらに具体的には、ｅＮｏｄｅＢ１０１は、共通検索領域内において、物理ダウンリンク制御チャネル（ＰＤＣＣＨ）又は拡張ＰＤＣＣＨ（ｅＰＤＣＣＨ）で送信される新しく設計されたダウンリンク制御情報（ＤＣＩ）１０７の形式で短期のＴＤＤ  ＵＬ−ＤＬ構成を送信する。このＤＣＩのＣＲＣは、以下では「ｅＩＭＴＡ−ＲＮＴＩ」と言及される新しいＲａｄｉｏ  Ｎｅｔｗｏｒｋ  Ｔｅｍｐｏｒａｒｙ  Ｉｄｅｎｔｉｆｉｅｒ（ＲＮＴＩ）によりスクランブルされる。ｅＩＭＴＡ−ＲＮＴＩは、ＤＣＩが、高速のＴＤＤ  ＵＬ−ＤＬ再構成の目的のために用いられることを示す。新たに設計されたＤＣＩに含まれるＴＤＤ  ＵＬ−ＤＬ構成は、ＴＤＤ  ＵＬ−ＤＬ構成更新のための区間が１０ｍｓ（即ち無線フレーム基準）の頻度であってもよいような短期の構成とみなされる。新しく設計された「ｅＩＭＴＡ−ＲＮＴＩ」は、予め定義されると共に、［ＦＦＦ４：ＦＦＦＣ］の範囲内の値を有してもよい。
【００３０】
従って、図１で表された例では、（Ｒｅｌ’１１及びそれ以降の用途に構成されている）ｅＮｏｄｅＢ１０１のカバーエリア内で動作するレガシーＵＥ１０３は、ＳＩＢ１で放送されるＴＤＤ  ＵＬ−ＤＬ構成を用いると共に、レガシーＵＥ１０３が従うレガシー仕様に従って動作する。ｅＮｏｄｅＢ１０１は、フレキシブルなサブフレームでのＰＤＳＣＨの受信又はＰＵＳＣＨの送信を実行させるようにレガシーＵＥ１０３のスケジュール決めをすることができない。フレキシブルなサブフレームの概念は、下記で更に詳細に説明される。
【００３１】
対照的に、ｅＮｏｄｅＢ１０１のカバー内で動作するＲｅｌ’１１及びそれ以降のＵＥ１０４は、ＳＩＢ１で放送されるＴＤＤ  ＵＬ−ＤＬ構成を受信し使用することを実行することに加えて、短期のＴＤＤ  ＵＬ−ＤＬ構成を処理する必要がある。この例で示されるように、Ｒｅｌ’１１及びそれ以降の動作用に構成されているＵＥ１０４は、ＴＤＤ再構成処理機能１０５も含む。ＴＤＤ再構成処理機能１０５は、更新された短期のＵＬ−ＤＬ構成情報を伝達する新しく設計されたＤＣＩのブラインド検出を実行する。この機能１０５は、また、ｅＮｏｄｅＢ１０１に対してＰＤＳＣＨ  Ｈ−ＡＲＱフィードバックを送信するためのＰＤＳＣＨ  Ｈ−ＡＲＱの符号化及び適切なＵＬサブフレームの選択を行う。ＰＤＳＣＨ  Ｈ−ＡＲＱフィードバックは、物理アップリンク制御チャネル（ＰＵＣＣＨ）／ＰＵＳＣＨ１０９により伝達される。
【００３２】
その上、ＵＥ１０４において、ＴＤＤ再構成処理機能１０５は、そのＵＬグラントについてモニターすることになるＤＬサブフレームの決定と、以前に認可されたＵＬサブフレームで送信したＵＬ−ＳＣＨに対応するＨ−ＡＲＱを伝達する物理ハイブリッド自動再送要求指示チャネル（ＰＨＩＣＨ）１０８を受信することになるＤＬサブフレームの決定と、を実行する。
【００３３】
本発明の実施形態は、ｆａｓｔ  ＴＤＤ  ｃｏｎｆｉｇｕｒａｔｉｏｎ  ｉｎｄｉｃａｔｉｏｎ（ＦＣＩ）のためのＤＣＩフォーマット１Ｃ中での仮想的なＣＲＣ拡張を利用する。これは、ＰＤＣＣＨ又はＥＰＤＣＣＨの誤検出の可能性を削減するためのものである。更に具体的には、これは、ｆａｓｔ  ＴＤＤ  ｃｏｎｆｉｇｕｒａｔｉｏｎ  ｉｎｄｉｃａｔｉｏｎ（ＦＣＩ）に利用されるＤＣＩフォーマット１Ｃでの誤検出ＣＲＣテストの可能性を削減する意図でなされており、一方で、同時に、同じ物理ＣＲＣサイズを保ち、従ってＣＲＣのオーバーヘッドの増加を回避すると共にＲｅｌ．１０で他の目的のために用いられるＤＣＩフォーマット１Ｃとして同じサイズを保つ。これは、また、同数のＰＤＣＣＨ又はＥＰＤＣＣＨブラインドデコードの試みを持続する手助けをする。本発明の実施形態は、仮想的なＣＲＣビットとして用いられるＤＣＩフォーマット１Ｃ内の特別なフィールド選択と、これらの特別なフィールドのための所定値の割り当てと、をまた含む。
【００３４】
ＤＣＩフォーマット１Ｃの構造が図２に示される。表されたレガシーＤＣＩフォーマット１Ｃ構造２００は、ギャップ値（２０１）と、Ｒｅｓｏｕｒｃｅ  Ｂｌｏｃｋ  Ａｓｓｉｇｎｍｅｎｔ（ＲＢＡ）（２０２）と、変調及び符号化スキーム（ＭＣＳ）（２０３）とをそれぞれ示すために用いられている３つのセグメント２０１、２０２及び２０３を有する。
【００３５】
第１のセグメント２０１（１ビット長）の存在は、ダウンリンクリソースブロック数Ｎ（ＤＬ，ＲＢ）に関して定義されている帯域幅のサイズに依存する。もしＮ（ＤＬ，ＲＢ）が５０よりも大きければ、１ビットのこのセグメントはギャップ値指示に用いられる。それ以外の場合には、これは存在しない。
【００３６】
第２のセグメント２０２の長さは３と９との間であり、帯域幅のサイズにより決定される。これは、関連するＰＤＳＣＨ送信のためのリソース割り振りタイプ２が割り当てられたリソースブロックを指示するのに用いられる。例えば、Ｎ（ＤＬ，ＲＢ）＝６のＤＬ帯域幅（図３の構造３００を見ること）は、３つのサブバンド（３０１、３０２、３０２）に分割可能であり、スケジューリングのユニットは１つのサブバンドである。結果として、合計６つの異なるリソース割り振りの種類、即ち｛Ａ｝，｛Ｂ｝，｛Ｃ｝，｛Ａ，Ｂ｝，｛Ｂ，Ｃ｝又は｛Ａ，Ｂ，Ｃ｝がある。これは、ｒｅｓｏｕｒｃｅ  ｂｌｏｃｋ  ａｓｓｉｇｎｍｅｎｔ（ＲＢＡ）指示のために少なくとも３ビットを必要とする。
【００３７】
３ビットにより８つの異なる組み合わせが定義され、従って３ビットＲＢＡは８つの異なるリソース割り振りを表すことができることを留意するのは重要である。しかしながら、上記で説明した通り、Ｎ（ＤＬ，ＲＢ）＝６の帯域幅の例において、合計６つの異なるリソース割り振りの種類がある。従って、この例では、使用されていない３ビットにより表されることができる２つの残りの状態がある。
【００３８】
上述の原理は、更に大きな帯域幅サイズ（及び、従ってＤＣＩフォーマット１Ｃ構造の第２のセグメント２０２の増大した長さ）に当てはめられる。異なる帯域幅４０３を伴う異なるギャップ値４０１、４０２のためのＲＢＡビット４００の計算が図４に示されている。ギャップ１  ４０１の値は、あらゆる種類の帯域幅でサポートされており、ギャップ２  ４０２の値は、１０ＭＨｚ又は５０ダウンリンクリソースブロック（即ち、Ｎ（ＤＬ，ＲＢ）＝５０）以上の帯域幅でのみサポートされている。リソース割り振りの割り当てのためのビット数（リソースブロック割り振りのためのビット数）４０４は、「仮想リソースブロック（ＶＲＢ）」の数（Ｎ（ＤＬ，ＶＲＢ））４０５と「ステップ値」（Ｎｓｔｅｐ）４０６とに基づいて計算され、Ｒｅｌ．１０のＵＥリソースブロック割り当てに用いられない（及び決して用いられなかった）対応する「冗長状態の数」４０７が対応して計算される。「１１１」から始まるＲＢＡ状態４０８は、Ｒｅｌ．１０のシステムでは決して用いられないであろうし、「１１１」から始まるＲＢＡ状態を伴うＤＣＩフォーマット１ＣのＰＤＣＣＨは、矛盾した情報が含まれるため、関連するＲｅｌ．１０のＵＥにより切り捨てられるであろう。
【００３９】
第３のセグメント２０３の長さは、固定された５ビットであり、３２のＭＣＳレベルのうちの１つを指示することができる。３ｒｄ  Ｇｅｎｅｒａｔｉｏｎ  Ｐａｒｔｎｅｒｓｈｉｐ  Ｐｒｏｊｅｃｔ（３ＧＰＰ）  Ｔｅｃｈｎｉｃａｌ  Ｓｐｅｃｉｆｉｃａｔｉｏｎ（ＴＳ）  ３６．２１３のセクション７．１．７．１で述べられている通り、「ＤＣＩ  ＣＲＣがＰ−ＲＮＴＩ、Ｒａｎｄｏｍ  Ａｃｃｅｓｓ（ＲＡ）−ＲＮＴＩ、又はＳｙｓｔｅｍ  Ｉｎｆｏｒｍａｔｉｏｎ（ＳＩ）−ＲＮＴＩによりスクランブルされている場合、ＵＥは使用するものとする」。これは、Ｐ−ＲＮＴＩ、ＲＡ−ＲＮＴＩ、又はＳＩ−ＲＮＴＩによりスクランブルされたＣＲＣを伴うＤＣＩフォーマット１Ｃのための変調オーダーとして４位相偏移変調（ＱＰＳＫ）が固定されているので、ＭＣＳはどの変調オーダーが用いられているかを示すために用いられないことを意味する。代わりに、５ビットのＭＣＳ情報要素（ＩＥ）がＴｒａｎｓｐｏｒｔ  Ｂｌｏｃｋ  Ｓｉｚｅ（ＴＢＳ）のインデックスを示すのに用いられる。結果として、５ビットのＭＣＳは、仮想ＣＲＣ延長のための特別フィールドとして用いられることができない。
【００４０】
よって、図５を参照すると、現在のＲｅｌ’１０のＬＴＥシステムでは、ＲＡ−ＲＮＴＩ／ＳＩ−ＲＮＴＩ／Ｐ−ＲＮＴＩにより逆スクランブルがなされた後にＤＣＩフォーマット１Ｃ  ５００がＣＲＣチェックを合格すると共に、図示された通りＲＢＡビットが「１１１」（５０１）で始まる場合、そのときにこのＰＤＣＣＨはＲｅｌ．１０のＵＥにより切り捨てられ無視されるであろう。
【００４１】
将来のＲｅｌ．１１及びそれ以降において、ＤＣＩフォーマット１ＣのＣＲＣが、新しく設計された「ｅＩＭＴＡ−ＲＮＴＩ」によりスクランブルされたＰＤＣＣＨ又はＥＰＤＣＣＨペイロードとして、高速ＴＤＤ構成の指示に用いられた場合、このとき少なくともＲＢＡの第１の３つのＭＳＢビットが、「１」に設定された値を有する特別なフィールドとして扱われることができる。これは、関連するＵＥと共に使用するためにＣＲＣの長さを仮想的に延長するために用いられてもよく、従って、更に信頼性が高い高速ＴＤＤ構成を達成することができる。
【００４２】
「１１１」から開始される限り、仮想的なＣＲＣビットとしてより大きなＲＢＡビットが用いられてもよいことは留意されるべきである。例えば、ＤＬシステム帯域幅が２０ＭＨｚであるとき、誤検出を更に削減することができる９までの仮想的なＣＲＣビットを達成するために、ＲＢＡビットを全て「１」に設定することが可能である。極端にいえば、最長の仮想的なＣＲＣビットを達成するために、ＤＣＩフォーマット１Ｃ内のＭＣＳの５ビット以外の全てのビットを「１」に設定することが可能である。
【００４３】
高速ＴＤＤ構成指示のために用いられることができるＤＣＩフォーマット１Ｃ内のフィールドを選択するための方法が提供される。ギャップ値インジケータは、それが高速ＴＤＤ構成に適さない低帯域幅においては、存在しなくてもよい。ＲＢＡビットの数は、ＤＬ帯域幅及びギャップ値に依存する。ＲＢＡビットが高速ＴＤＤ構成用に用いられる場合、異なるスキームが設計されるべきである。例えば、６ＲＢのＤＬ帯域幅は、仮想的なＣＲＣビットとして「１１１」と設定される３ビットのみを有し、そのため高速ＴＤＤ構成表示のための付加的なビットがない。ＲＢＡビットがこの目的のために用いられている場合、少なくとも６ＲＢ  ＤＬ帯域幅を有するＴＤＤシステムは異なって取り扱われるべきである。
【００４４】
図５は、ｆａｓｔ  ＴＤＤ  ｃｏｎｆｉｇｕｒａｔｉｏｎ  ｉｎｄｉｃａｔｉｏｎ（ＦＣＩ）のためのＤＣＩフォーマット１Ｃの再解釈を示す。構造５００は、以前の通り、ギャップ値、Ｒｅｓｏｕｒｃｅ  Ｂｌｏｃｋ  Ａｓｓｉｇｎｍｅｎｔ（ＲＢＡ）及び変調及び符号化スキーム（ＭＣＳ）（５０２）をそれぞれ示すために用いられている３つのセグメントを有する。ＭＣＳ指示のサイズは５ビットとして固定され、５ビットのＭＣＳ（５０２）は高速ＴＤＤ構成指示として再解釈されることができる。「ｅＩＭＴＡ−ＲＮＴＩ」によりスクランブルされたものとしてＵＥによって検出されたＤＣＩフォーマット１Ｃは、矛盾した情報が含まれるのであれば、切り捨てられ、かつ無視されるべきである。
【００４５】
ＭＣＳの第１の３つの最下位ビット（ＬＳＢ）は、７つのＴＤＤ構成の中から１つを示すのに用いられてもよく、又は、第１の２つのＬＳＢは、多くて４のサイズを有する構成のサブグループの中から１つのＴＤＤ構成を示すのに用いられてもよい。他方で、サブグループのインデックスは、ＭＣＳの他のビットを用いることで示されてもよく、又は、Ｒｅｌ．１０で規定されているように、ＳＩＢ１により示される長期のＴＤＤ構成から明確に推定されてもよい。任意の未使用のビットが、例えば、フレキシブルＴＤＤがＣａｒｒｉｅｒ  Ａｇｇｒｅｇａｔｉｏｎ（ＣＡ）に有効であるとき、他の搬送波成分のためのＦＣＩ用に用いられるといったように、将来の使用のために取っておかれてもよい。
【００４６】
ＦＣＩのタイミングや、ｆａｓｔ  ＴＤＤ  ｃｏｎｆｉｇｕｒａｔｉｏｎ（ＦＣＩ）がＵＥ側で検出されないときの関連するＵＥの手続きを、ここで説明する。
【００４７】
通常、ＵＥ用のサブフレームの終わりから、そのサブフレーム上で受信されたＰＤＳＣＨ／ＤＬ−ＳＣＨの処理までに少なくとも２．３ｍｓを要し、ＵＥ用サブフレームの制御領域内の最後の直交周波数分割多重方式（ＯＦＤＭ）シンボルにおける終わりから、それを対象としたダウンリンク制御情報（ＤＣＩ）を検出するためのブラインドデコードの実行までにおよそ１ｍｓを要するであろう。望ましくは、最新のＵＬ−ＤＬトラフィック、例えば、無線フレームの第１の固定されたＤＬサブフレームを反映するために、指示は、次の区間に可能な限り近く、又は、対象とする区間内にあるべきである。異なる再構成区間（ＲｅＩｎｔ）（６１０、６２０）のためのＦＣＩ送信のタイミング（６００）が図６に示されている。図６のプロセス６２４では、１つのＲｅＩｎｔ（６２５）のためのＦＣＩ（６２１）が、その現在のＲｅＩｎｔ内の第１の固定されたＤＬサブフレームで送信されると共に、現在のＲｅＩｎｔ（６２８）内の各無線フレーム（６２６、６２７）内で繰り返される。繰り返されたＦＣＩ６２２及び６２３は、６２１として同じＦＣＩを示す。現在のＲｅＩｎｔ（６２９）及び現在のＲｅＩｎｔ（６３０）は、それぞれ、図６でのＦＣＩ（６２２）の現在のＲｅＩｎｔ及びＦＣＩ（６２３）の現在のＲｅＩｎｔに対応する。上述のＦＣＩタイミングは、１０ｍｓ又はそれより長いＲｅＩｎｔに適用可能である。
【００４８】
ＵＥは、ＦＣＩの受信に成功するまでは、「動的シグナリング」の手続きをフォローするものとする。具体的には、ＵＥが、ＲｅＩｎｔ（６２８）の第１の無線フレーム（６２５）内のＦＣＩを検出しなかった場合は、ＵＥは、第１の無線フレーム（６２５）内の「動的シグナリング」の手続きをフォローし、次の無線フレーム（６２６）内で繰り返されるＦＣＩ（６２２）の検出を試みるであろう。繰り返されるＦＣＩ（６２２）の検出に成功した場合は、それ（即ちＵＥ）は、その無線フレームからそのＦＣＩに関連する手続きをフォローするであろう。そうでなければ、「動的シグナリング」の手続きはなおもフォローされるであろう。
【００４９】
「動的シグナリング」は、前の行動として、１つのＵＬグラントが検出されない限り、無線フレーム内のフレキシブルなサブフレームをＤＬサブフレームとして取り扱う。ＤＬ／ＵＬ  ＨＡＲＱタイミング及びＵＬグラントタイミングは、ＤＬ／ＵＬ  ＨＡＲＱ−ＡＣＫ送信とＵＬ  ＰＵＳＣＨ送信との衝突を回避するために、予め決められるべきである。
【００５０】
本明細書及びクレームにおいて（もしあれば）、単語「含み」と「含む」を含むその派生語は、述べられた整数のそれぞれを含むが、１又はそれ以上の更なる整数を含めることを排除するものではない。
【００５１】
本明細書を通しての「一実施形態」又は「実施形態」の言及は、実施形態に関連して説明された固有の特徴、構造、又は特性が、本発明の少なくとも一実施形態に含まれていることを意味する。従って、本明細書を通した様々な場所での「一実施形態において」又は「実施形態において」の表現の出現は、必ずしも全て同じ実施形態への言及ではない。更に、固有の特徴、構造、又は特性は、１又は複数の組み合わせの任意の適切な方法で組み合わされてもよい。
【００５２】
上述の処理は、コンピュータ（例えば、ＵＥ）により実行されてもよい。また、プログラム可能なコンピュータ装置に上述の処理を実行させるコンピュータプログラムを提供することも可能である。プログラムは、任意の種類の非一時的なコンピュータ可読媒体を用いて格納され、コンピュータに提供されることができる。非一時的なコンピュータ可読媒体は、任意の種類の実体のある記憶媒体を含む。非一時的なコンピュータ可読媒体の例は、磁気記憶媒体（例えばフレキシブルディスク、磁気テープ、ハードディスクドライブ等）、光磁気記憶媒体（例えば光磁気ディスク）、ＣＤ−ＲＯＭ、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ）等）を含む。ソフトウェアモジュールは、任意の種類の一時的なコンピュータ可読媒体を用いてコンピュータに提供されてもよい。一時的なコンピュータ可読媒体の例は、電気信号、光信号、及び電磁波を含む。一時的なコンピュータ可読媒体は、（例えば電線、光ファイバといった）有線通信路、又は無線通信路を経由して、ソフトウェアモジュールをコンピュータに提供できる。
【００５３】
法律に従って、本発明は、構造的又は系統的な特徴に多かれ少なかれ固有のものである言語で説明された。本明細書で説明された手段は、本発明を実施するのに好ましい形態が含まれるため、本発明は、示された又は説明された固有の特徴に限定されない。本発明は、従って、当業者によって適切に解釈される添付の請求項（もしあれば）の適切なスコープ内において、任意のその形式又は変更が主張される。例えば、本発明は、以下の形式で実施されることができる。
【００５４】
（１）少なくとも１つのダウンリンク制御情報（ＤＣＩ）フィールドに少なくとも１つの所定値を割り当てることにより、巡回冗長検査（ＣＲＣ）情報を延長すること、を含む、誤検出を削減するための無線通信システムでの制御シグナリング方法。
（２）前記ＤＣＩフィールドはリソースブロック割り当て内に含まれている、項目（１）に記載の方法。
（３）前記所定値は、他に用いられない１又はより上位ビットの使用を含む、項目（２）に記載の方法。
（４）前記リソースブロック割り当ての３つの最上位ビットは、前記延長されたＣＲＣを指定するために「１１１」に設定される、項目（３）に記載の方法。
（５）前記通信システムは、フレキシブルなｔｉｍｅ  ｄｉｖｉｓｉｏｎ  ｄｕｐｌｅｘ（ＴＤＤ）ｕｐｌｉｎｋ−ｄｏｗｎｌｉｎｋ（ＵＬ−ＤＬ）構成をサポートするＬＴＥ又はＬＴＥ−Ａシステムである、項目（１）に記載の方法。
（６）繰り返されるｆａｓｔ  ＴＤＤ  ｃｏｎｆｉｇｕｒａｔｉｏｎ  ｉｎｄｉｃａｔｉｏｎ（ＦＣＩ）の検出に対応して、検出されたＦＣＩに関連する手続きに従ってユーザ機器（ＵＥ）が動作することを可能にすることでフレーム区間を再構成することを更に含む、項目（１）−（５）のいずれか１項に記載の方法。
（７）第１のユーザ機器（ＵＥ）において、前記ＤＣＩフィールドの前記所定値の検出で物理ダウンリンク制御チャネル（ＰＤＣＣＨ）を切り捨てる、
項目（１）−（５）のいずれか１項に記載の方法。
（８）長期のＴＤＤ  ＵＬ−ＤＬ構成に従って動作する第１のユーザ機器（ＵＥ）で用いられる長期のＴＤＤ  ＵＬ−ＤＬ構成指示と、短期のＴＤＤ  ＵＬ−ＤＬ構成に従って動作可能な第２のＵＥで用いられる短期のＴＤＤ  ＵＬ−ＤＬ構成指示と、を送信するように動作可能な少なくとも１つの基地局を備え、前記短期のＴＤＤ  ＵＬ−ＤＬ構成指示は、ダウンリンク制御情報（ＤＣＩ）フォーマットで送信され、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、無線通信システム。
（９）前記通信システムはＬＴＥ又はＬＴＥ−Ａシステムであり、前記基地局は、ＬＴＥリリース１１又はより高次のＬＴＥリリースに従った動作用に構成されると共に、より低次のリリースとの上位互換性を有する、項目（８）に記載の通信システム。
（１０）前記基地局はｅｖｏｌｖｅｄ  ＮｏｄｅＢ（ｅＮｏｄｅＢ）であり、少なくともリリース１０、リリース９及びリリース８との上位互換性を有する、項目（９）に記載の通信システム。
（１１）前記基地局は、第１のＵＥ及び第２のＵＥのための、適切な長期及び短期のＴＤＤ  ＵＬ−ＤＬ構成を選択するためのＴＤＤ構成切り替えアルゴリズムを実行するとき、制限されていないタイムフレームで観測されるＵＬ−ＤＬトラフィック比率を考慮に入れたＴＤＤ再構成処理を実行する、項目（８）から（１０）のいずれか１項に記載の通信システム。
（１２）前記ＤＣＩの前記利用される既存のフィールドは、他では使用されず、そこに含まれる前記情報を伝える必要がない、項目（８）から（１０）のいずれか１項に記載の通信システム。
（１３）前記ＤＣＩフィールドはリソースブロック割り当て内に含まれている、項目（８）から（１０）のいずれか１項に記載の通信システム。
（１４）前記所定値は、他に用いられない１又はより上位ビットの使用を含む、項目（１３）に記載の通信システム。
（１５）前記リソースブロック割り当ての３つの最上位ビットは、前記仮想的に延長されたＣＲＣを指定するために「１１１」に設定される、項目（１４）に記載の通信システム。
（１６）繰り返されるｆａｓｔ  ＴＤＤ  ｃｏｎｆｉｇｕｒａｔｉｏｎ  ｉｎｄｉｃａｔｉｏｎ（ＦＣＩ）の検出に対応して、検出されたＦＣＩに関連する手続きに従って前記第２のＵＥが動作する、項目（８）ないし（１０）のいずれか１項に記載の通信システム。
（１７）前記第１のＵＥは、前記ＤＣＩフィールドの前記所定値の検出で物理ダウンリンク制御チャネル（ＰＤＣＣＨ）又は拡張物理ダウンリンク制御チャネル（ＥＰＤＣＣＨ）を切り捨てる、項目（８）ないし（１０）のいずれか１項に記載の通信システム。
（１８）基地局から、長期のＴＤＤ  ＵＬ−ＤＬ構成に従って動作する第１のユーザ機器（ＵＥ）で用いられる長期のＴＤＤ  ＵＬ−ＤＬ構成指示と、短期のＴＤＤ  ＵＬ−ＤＬ構成に従って動作可能な第２のＵＥで用いられる短期のＴＤＤ  ＵＬ−ＤＬ構成指示と、を送信すること、及び、前記短期のＴＤＤ  ＵＬ−ＤＬ構成指示をダウンリンク制御情報（ＤＣＩ）フォーマットで送信すること、を備え、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、無線通信システムにおける制御シグナリングの方法。
（１９）繰り返されるｆａｓｔ  ＴＤＤ  ｃｏｎｆｉｇｕｒａｔｉｏｎ  ｉｎｄｉｃａｔｉｏｎ（ＦＣＩ）の検出に対応して、検出されたＦＣＩに関連する手続きに従って前記第２のＵＥが動作する、項目（１８）に記載の方法。
（２０）前記第１のＵＥは、前記ＤＣＩフィールドの前記所定値の検出で物理ダウンリンク制御チャネル（ＰＤＣＣＨ）又は拡張物理ダウンリンク制御チャネル（ＥＰＤＣＣＨ）を切り捨てる、項目（１８）又は項目（１９）に記載の方法。
（２１）少なくとも一部の前記第２のＵＥは、長期のＴＤＤ  ＵＬ−ＤＬ構成に従って動作することが更にできる、項目（１８）又は項目（１９）に記載の方法。
（２２）前記ＣＲＣは、高速のＴＤＤ  ＵＬ−ＤＬ再構成の目的のために前記ＤＣＩが用いられることを示すものとして前記第２のＵＥがみなすｒａｄｉｏ  ｎｅｔｗｏｒｋ  ｔｅｍｐｏｒａｒｙ  ｉｄｅｎｔｉｆｉｅｒ（ＲＮＴＩ）を用いてスクランブルされる、項目（１８）又は項目（１９）に記載の方法。
（２３）前記ＲＮＴＩは予め定義されていると共に、［ＦＦＦ４：ＦＦＦＣ］の範囲内の値を有する、項目（２２）に記載の方法。
（２４）長期のＴＤＤ  ＵＬ−ＤＬ構成に従って動作する第１のユーザ機器（ＵＥ）で用いられる長期のＴＤＤ  ＵＬ−ＤＬ構成指示と、短期のＴＤＤ  ＵＬ−ＤＬ構成に従って動作可能な第２のＵＥで用いられる短期のＴＤＤ  ＵＬ−ＤＬ構成指示と、を受信するように構成され、前記短期のＴＤＤ  ＵＬ−ＤＬ構成指示は、ダウンリンク制御情報（ＤＣＩ）フォーマットで送信され、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、ユーザ機器（ＵＥ）。
（２５）基地局から、長期のＴＤＤ  ＵＬ−ＤＬ構成に従って動作する第１のユーザ機器（ＵＥ）で用いられる長期のＴＤＤ  ＵＬ−ＤＬ構成指示と、短期のＴＤＤ  ＵＬ−ＤＬ構成に従って動作可能な第２のＵＥで用いられる短期のＴＤＤ  ＵＬ−ＤＬ構成指示と、を受信すること、及び、前記短期のＴＤＤ  ＵＬ−ＤＬ構成指示をダウンリンク制御情報（ＤＣＩ）フォーマットで受信すること、を備え、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、無線通信システムで用いられるユーザ機器（ＵＥ）で実行される方法。
【００５５】
この出願は、２０１２年１１月１４日に出願されたオーストラリア国仮特許出願Ｎｏ．２０１２９０５００６を基礎とする優先権を主張し、その開示の全てをここに取り込む。
【符号の説明】
【００５６】
１００  無線通信システム
１０１  ＥＶＯＬＶＥＤ  ＮＯＤＥＢＳ（ｅＮＢ）
１０２  ＴＩＭＥ  ＤＩＶＩＳＩＯＮ  ＤＵＰＬＥＸ（ＴＤＤ）再構成処理機能
１０３、１０４  ユーザ機器（ＵＥ）
１０５  ＴＤＤ再構成処理機能
１０６  システム情報ブロックタイプ１（ＳＩＢ１）
１０７  ダウンリンク制御情報（ＤＣＩ）
１０８  物理ハイブリッド自動再送要求指示チャネル（ＰＨＩＣＨ）
１０９  物理アップリンク制御チャネル／物理アップリンク共有チャネル（ＰＵＣＣＨ／ＰＵＳＣＨ）
２００  構造
２０１から２０３  セグメント
３００  構造
３０１から３０３  サブバンド
４００  ＲＢＡビット計算
４０１、４０２  ギャップ値
４０３  帯域幅
４０４  リソースブロック割り当てのためのビット数
４０５  仮想リソースブロックの数
４０６  ステップ値の数
４０７  冗長状態の数
４０８  「１１１」から始まるＲＢＡ状態
５００  構造
５０１  ＲＢＡビット
５０２  変調及び符号化スキーム（ＭＣＳ）
６００  ＦＡＳＴ  ＴＤＤ  ＵＬ−ＤＬ  ＣＯＮＦＩＧＵＲＡＴＩＯＮ  ＩＮＤＩＣＡＴＩＯＮ（ＦＣＩ）送信のタイミング
６１０、６２０  再構成区間
６２１から６２３  ＦＡＳＴ  ＴＤＤ  ＵＬ−ＤＬ  ＣＯＮＦＩＧＵＲＡＴＩＯＮ  ＩＮＤＩＣＡＴＩＯＮ（ＦＣＩ）
６２４  プロセス
６２５から６２７  無線フレーム
６２８から６３０  現在の再構成区間
【図１】
2016501453.tif 000003
【図２】
2016501453.tif 000004
【図３】
2016501453.tif 000005
【図４】
2016501453.tif 000006
【図５】
2016501453.tif 000007
【図６】
2016501453.tif 000008
【国際調査報告】
2016501453.tif 000009
2016501453.tif 000010